(57)【要約】【課題】容易に施工可能な洗浄装置を提供することができる。【解決手段】浴室の天井に形成された開口部に取り付けられ、筐体と洗浄液吐出口とを備える洗浄ユニットであって、筐体は、天井の天井裏に配置される第１の領域と開口部に嵌合される第２の領域とを含み、第１の領域において、筐体を天井に対して固定するための第１の固定部を備え、第２の領域において、浴室に露出する露出面を有し、露出面に、筐体を天井に対して固定するための第２の固定部を備えることを特徴とする。【選択図】図８
2020156960.tif 000002
【特許請求の範囲】
【請求項１】
浴室の天井に形成された開口部に取り付けられ、筐体と洗浄液吐出口とを備える洗浄ユニットであって、
前記筐体は、
前記天井の天井裏に配置される第１の領域と前記開口部に嵌合される第２の領域とを含み、
前記第１の領域において、前記筐体を前記天井に対して固定するための第１の固定部を備え、前記第２の領域において、前記浴室に露出する露出面を有し、前記露出面に、前記筐体を前記天井に対して固定するための第２の固定部を備える、
洗浄ユニット。
【請求項２】
前記第２の固定部は、前記天井に固定された取付金具に対して固定される請求項１に記載の洗浄ユニット。
【請求項３】
前記第１の領域は、前記天井の面方向において、前記第２の領域より大きくなるように構成される請求項１または２に記載の洗浄ユニット。
【請求項４】
前記露出面において、前記第２の固定部を覆うカバーをさらに備える請求項１〜３のいずれか１項に記載の洗浄ユニット。
【請求項５】
筐体を備えた洗浄ユニットを浴室の天井に固定するための固定方法であって、
前記筐体は、前記天井に形成された開口部に取り付けられ、
前記筐体は、前記天井の天井裏に配置される第１の領域と、前記開口部に嵌合される第２の領域と、を含み、
前記第１の領域は、前記筐体を前記天井に固定するための第１の固定部を備え、
前記第２の領域は、前記浴室に露出する露出面を有し、
前記露出面は、前記筐体を前記天井に固定するための第２の固定部を備え、
前記筐体を前記開口部に取り付ける筐体載置ステップと、
前記第１の固定部により、前記筐体を前記天井に対して固定する天井裏側固定ステップと、
前記第２の固定部により、前記筐体を前記天井に対して固定する浴室側固定ステップと、
を備える、固定方法。
【請求項６】
取付金具を前記開口部に対して固定する取付金具固定ステップをさらに備え、
前記浴室側固定ステップにおいて、前記第２の固定部により、前記筐体を前記取付金具に対して固定する、
請求項５に記載の固定方法。
【請求項７】
前記第２の固定部を覆うカバーを取り付けるカバー取付ステップをさらに備える、
請求項５または６に記載の固定方法。
【発明の詳細な説明】
【技術分野】
【０００１】
本発明は、天井から浴室に対して洗浄を行う洗浄ユニット及びその固定方法に関する。
【背景技術】
【０００２】
従来、浴室用洗浄ユニットや浴室換気装置等は、天井に設けられた設置開口に浴室側から挿入され、設置されるものが知られている。例えば、特許文献１のように、浴室換気乾燥暖房装置を天井に取り付ける技術が開示されている。
【先行技術文献】
【特許文献】
【０００３】
【特許文献１】特開２０１４−３５１５６号公報
【発明の概要】
【発明が解決しようとする課題】
【０００４】
このような装置を浴室の天井に設置するとき、装置の大きさに応じた開口が必要となる。これに対して、装置が設置される開口とは別に天井に設けられている点検口を利用して天井裏から開口に装置を設置することで、開口を小さくすることも考えられる。しかし、点検口から視覚的に見えない部分の固定が困難であるという課題があった。
【０００５】
本発明はこうした状況に鑑みてなされたものであり、その目的は、容易に施工可能な洗浄ユニットを提供することにある。
【課題を解決するための手段】
【０００６】
上記課題を解決するために、本開示のある態様の洗浄ユニットは、浴室の天井に形成された開口部に取り付けられ、筐体と洗浄液吐出口とを備える洗浄ユニットであって、前記筐体は、前記天井の天井裏に配置される第１の領域と前記開口部に嵌合される第２の領域とを含み、前記第１の領域において、前記筐体を前記天井に対して固定するための第１の固定部を備え、前記第２の領域において、前記浴室に露出する露出面を有し、前記露出面に、前記筐体を前記天井に対して固定するための第２の固定部を備える。
【０００７】
本開示の別の態様の固定方法は、筐体を備えた洗浄ユニットを浴室の天井に固定するための固定方法であって、前記筐体は、前記天井に形成された開口部に取り付けられ、前記筐体は、前記天井の天井裏に配置される第１の領域と、前記開口部に嵌合される第２の領域と、を含み、前記第１の領域は、前記筐体を前記天井に固定するための第１の固定部を備え、前記第２の領域は、前記浴室に露出する露出面を有し、前記露出面は、前記筐体を前記天井に固定するための第２の固定部を備え、前記筐体を前記開口部に取り付ける筐体載置ステップと、前記第１の固定部により、前記筐体を前記天井に対して固定する天井裏側固定ステップと、前記第２の固定部により、前記筐体を前記天井に対して固定する浴室側固定ステップと、を備える。
【発明の効果】
【０００８】
本発明によれば、容易に施工可能な洗浄ユニットを提供することができる。
【図面の簡単な説明】
【０００９】
【図１】一実施形態の浴室を示す斜視図である。
【図２】洗浄ユニットが取り付けられる天井裏を示す斜視図である。
【図３】洗浄ユニットを示す斜視図である。
【図４】洗浄ユニットの裏側を示す斜視図である。
【図５】洗浄ユニットを固定する取付金具を示す斜視図である。
【図６】第１の開口部に固定された取付金具を示す斜視図である。
【図７】第１の開口部に設置された洗浄ユニットを示す斜視図である。
【図８】天井に固定された洗浄ユニットの断面図である。
【図９】天井に固定された洗浄ユニットの浴室側から見た斜視図である。
【図１０】天井に固定された洗浄ユニットの浴室側から見た斜視図である。
【図１１】天井に固定された洗浄ユニットの浴室側から見た斜視図である。
【図１２】洗浄ユニットの固定方法を示すフローチャートである。
【発明を実施するための形態】
【００１０】
以下、図１及び図２を参照して、本実施形態にかかる洗浄ユニットについて説明する。
【００１１】
図１は、本実施形態にかかる洗浄ユニット６が浴室１に設置された状態を示す図である。図１に示すように、浴室１の天井２には浴室暖房乾燥機３及び洗浄ユニット６が取付けられている。
【００１２】
浴室暖房乾燥機３は、送風機（図示せず）及び加熱部（図示せず）等を内蔵し、浴室１の空気を温める暖房モード等を有する装置である。浴室暖房乾燥機３は、浴室外の脱衣室２２に備えられた操作パネル２３と信号線５１等により接続される。
【００１３】
洗浄ユニット６は、浴室暖房乾燥機３と点検口５０との間に設置され、給水口７を介して供給された水を浴室１の室内に噴霧して浴室１を洗浄する。配管５から給水口７へ水もしくは温水が供給される。
【００１４】
天井２には、浴室暖房乾燥機３を点検するできるための点検口５０が設けられている。点検口５０は、浴室暖房乾燥機３もしくは信号線５１等の電気回路系を保守点検、修理をする際に利用される開口である。作業者は、天井裏に上がらずに点検口５０から上半身を入れるだけで作業することができる。
【００１５】
図２は、洗浄ユニット６及び天井２を天井裏側から見た斜視図である。図２に示すように、天井２には、点検口５０に加えて、第１の開口部９及び第２の開口部１０が設けられている。
【００１６】
点検口５０は、上述のとおり、作業者が天井裏に設置された装置を点検するための開口であり、上半身が入る程度の大きさを有する。
【００１７】
第１の開口部９は、洗浄ユニット６が設置される開口であり、点検口５０及び第２の開口部１０より開口の大きさが小さく構成されている方が望ましい。
【００１８】
第１の開口部９は、一方向に並ぶ複数の洗浄ノズル１１が露出するような形状、例えば、当該一方向の長さが当該一方向に直交する方向の長さよりも長い形状を有する。ここで、第１の開口部９は、長方形の形状を想定しているが、筐体８に合わせて設定されればよく、特に形状は限定されない。
【００１９】
第１の開口部９は、点検口５０に隣接して配置される。「隣接して配置」されるとは、例えば、点検口５０と第１の開口部９（に設置された洗浄ユニット６）との間に他の装置が設置されないことを言う。つまり、第１の開口部９は、点検口５０から上半身を入れた際に洗浄ユニット６の設置作業ができる範囲に設けられればよい。
【００２０】
第１の開口部９には、取付金具１２を介して洗浄ユニット６が取り付けられる。洗浄ユニット６は、第１の開口部９に設置されることで、洗浄ユニット６の筐体８に備えられた洗浄ノズル１１が浴室１内に露出する。また、洗浄ユニット６は、第１の開口部９に設置されることで、給水口７と第１の固定部１４とが天井裏に露出する。洗浄ユニット６及び取付金具１２の詳細な構成については後述する。
【００２１】
第２の開口部１０は、浴室暖房乾燥機３が設置される開口である。第２の開口部１０は、第１の開口部９を基準に、点検口５０の反対側に設けられる。つまり、第２の開口部１０は、第１の開口部９に隣接して配置される。第２の開口部１０は、浴室暖房乾燥機３を浴室１側から挿入可能で、かつ、浴室暖房乾燥機３の送風口及び吸入口が露出する程度の大きさを有する。
【００２２】
第１の開口部９及び点検口５０は、浴室１における洗い場の上方に位置する天井２に設けられる。第２の開口部１０は、浴室１における浴槽の上方に位置する天井２に設けられる。
【００２３】
なお、第１の開口部９が設けられる位置すなわち洗浄ユニット６が設けられる位置は、浴室１を洗浄するための水の噴霧が効率的に行える場所であればよい。
【００２４】
次に図３及び図４を用いて、洗浄ユニットの詳細な構成を説明する。
【００２５】
図３は、洗浄ユニット６の斜視図である。
【００２６】
図３に示すように、洗浄ユニット６は、筐体８と複数の洗浄ノズル１１とを備える。
【００２７】
筐体８は、複数の洗浄ノズル１１が配置される方向に伸びる辺が、当該方向に直交する方向に伸びる辺よりも長い形状を有する。筐体８の内部には、給水口７から供給された水が流通する配管（図示せず）等が設けられる。筐体８は、第１の領域４１及び第２の領域４２から構成されている。
【００２８】
第１の領域４１は、洗浄ユニット６が天井２に設置された際に、天井裏に露出する領域である。第１の領域４１は、天井２の面方向において、第２の領域４２より大きくなるように構成される。これにより、洗浄ユニット６は、第１の開口部９を第１の領域４１及び第２の領域４２に対応する大きさにしなくても、第２の領域４２に対応する大きさで天井２に設置されることができる。
【００２９】
第１の領域４１は、点検口５０側に位置する隣接面２４を有する。
【００３０】
筐体８は、隣接面２４において天井２に接する位置に第１の固定部１４を備えている。第１の固定部１４は、洗浄ユニット６の筐体８を天井２に対して固定する。第１の固定部１４は、天井２に接する面において、ねじを通すための貫通孔を有する。第１の固定部１４は、例えば筐体８の第１の領域４１において点検口５０の隣接面２４のうち水平方向の端部に近い二箇所に設けられているが、これに限らず、筐体８を安定して天井２に設置することができれば、水平方向に設けられる位置と個数は限定されない。すなわち、筐体８の大きさによって、第１の固定部１４の個数及び位置を変更しても良い。
【００３１】
筐体８は、第１の領域４１の一端において給水口７を備えている。給水口７から、洗浄ユニット６に水を供給することによって、洗浄ノズル１１に浴室１を洗浄させることができる。
【００３２】
第２の領域４２は、洗浄ユニット６が天井２に設置された際に、第１の開口部９に嵌合される領域である。洗浄ノズル１１は、筐体８において、第２の領域４２に設けられている。
【００３３】
図４は、洗浄ユニット６を裏側から見た斜視図である。図４に示すように、筐体８は、第２の領域４２において、露出面１７及び第２の固定部１５を備える。
【００３４】
露出面１７は、洗浄ユニット６が天井２に設置された際に、天井２から浴室１に露出する面であり、天井２の面に囲まれる。
【００３５】
第２の固定部１５は、洗浄ユニット６の筐体８を、取付金具１２を介して天井２に対して固定させるための構造である。すなわち、第２の固定部１５は、取付金具１２に接続される。第２の固定部１５は、ねじを通すための穴を有し、筐体８を安定させるための個数、例えば露出面１７の第２の開口部１０側の両端二箇所に設けられる。第２の固定部１５の位置及び個数は、取付金具１２の位置及び個数に対応する。なお、第２の固定部１５は、筐体８を安定して天井２に固定させることができれば、露出面１７の第２の開口部１０側に設けられる位置及び個数は限定されない。
【００３６】
洗浄ノズル１１は、浴室１側の一端に洗浄液吐出口１６を有し、筐体８から浴室１に向かって突出するように構成される。洗浄ノズル１１は、洗浄ノズル１１の先端に設けた洗浄液吐出口１６が浴室１に面するように構成される。洗浄液吐出口１６は、給水口７を介して洗浄ユニット６に供給される水を、浴室１に向かって噴射する。洗浄ユニット６は、洗浄液吐出口１６から水を浴室１に噴霧することにより、浴室１を洗浄する。なお、洗浄液として噴霧する液体は温水であってもよい。
【００３７】
次に、図５を用いて洗浄ユニット６を固定する取付金具１２の構成について説明する。
【００３８】
図５は、取付金具１２の斜視図を示す。図５に示すように、取付金具１２は、少なくとも天井２に接する第１の面１２０と、第２の固定部１５に接する第２の面１２２とで構成される。第１の面１２０および第２の面１２２は、それぞれ取付ねじ固定穴１２１を備えている。第１の面１２０は、天井裏からねじにより固定され、第２の面１２２は、浴室１側からねじにより固定される。
【００３９】
取付ねじ固定穴１２１は、ねじを通すための貫通孔である。第１の面１２０における取付ねじ固定穴１２１は、取付金具１２を天井２に対して天井裏側から固定させる。第２の面１２２における取付ねじ固定穴１２１は、取付金具１２に対して第２の固定部１５を浴室１側から固定させる。
【００４０】
なお、取付金具１２は、第１の面１２０と第２の面１２２とを接続する面である第３の面１２３をさらに備え、３つの面としているが、この構成に限定されず、第１の面１２０と第２の面１２２とを備えれば、形態は問わない。
【００４１】
以下、洗浄ユニット６を第１の開口部９に設置する方法について説明する。
【００４２】
洗浄ユニット６を設置する際、まず点検口５０から天井裏側での取付作業を行い、その後、浴室１側から取付作業を行う。
【００４３】
まず、図６及び図７を用いて、天井裏側における取付作業について説明する。図６は、取付金具１２が第１の開口部９に固定された状態を示している。
【００４４】
まず、取付金具１２が、天井２に設置される。具体的には、第１の面１２０における取付ねじ固定穴１２１に取付金具固定ねじ１３を挿入することによって、取付金具１２を第１の開口部９に対して取り付ける。これによって、取付金具１２は、第１の面１２０が天井２に接した状態で、第１の開口部９周縁の天井２に対して固定される。すなわち、取付金具１２は、上述したように第１の開口部９の端部に取り付けられる。
【００４５】
図７は、洗浄ユニット６が第１の開口部９に設置された状態を示す。
【００４６】
取付金具１２を第１の開口部９に固定した後、洗浄ユニット６は、筐体８が第１の開口部９に点検口５０から配置される。これにより、洗浄ユニット６は、筐体８が天井２に固定された取付金具１２上に配置されることとなる。筐体８が第１の開口部９に載置されると、洗浄ユニット６は、第１の領域４１が天井裏に露出し、第２の領域４２が第１の開口部９に嵌合され、浴室１に露出する。また、洗浄ユニット６には、天井裏に配置される第１の固定部１４が点検口５０側に取り付けられている。洗浄ユニット６が第１の開口部９に載置されると、第１の固定部１４は、天井２に接する場所に位置する。
【００４７】
筐体８を第１の開口部９に配置した状態で、第１の固定部１４は、天井固定ねじ１８によって天井２に固定される。すなわち、筐体８の隣接面２４側が天井２に対して固定される。
【００４８】
このようにして、点検口５０からの作業により洗浄ユニット６は、筐体８の隣接面２４側（作業者にとって点検口５０から見て手前側）が天井２に対して固定される。
【００４９】
図８は、天井２に固定された洗浄ユニット６の断面図を示す。
【００５０】
洗浄ユニット６は、天井固定ねじ１８によって、隣接面２４に設けられた第１の固定部１４において天井２に対して取り付けられる。これにより、洗浄ユニット６は、隣接面２４側の筐体８が天井２に対して固定される。さらに、洗浄ユニット６は、洗浄ユニット固定ねじ１９によって、筐体８と取付金具１２とが天井２に対して取り付けられる。これにより、洗浄ユニット６は、隣接面２４側の反対側の筐体８が天井２に対して固定される。
【００５１】
このように、点検口５０から見た作業者の手前側（図８において左側）は、天井裏側から第１の固定部１４により洗浄ユニット６は天井２に固定される。点検口５０から見た作業者の奥側（図８において右側）は、浴室１側から第２の固定部１５により洗浄ユニット６は天井２に固定される。これにより作業者は天井裏での作業において視覚的に確認しにくい奥側の取付作業を、浴室１側から行うことができるので、作業性が向上する。
【００５２】
次に、図９〜図１１を用いて洗浄ユニット６の設置方法について浴室側から見た状態で説明する。
【００５３】
図９は、天井２に固定された洗浄ユニット６を浴室１側から見た斜視図である。
【００５４】
図９に示すように、洗浄ユニット６は、天井２に固定された際に、露出面１７が浴室１に露出する。上述した天井裏での取付作業を行った後、浴室１側から洗浄ユニット固定ねじ１９を用いて洗浄ユニット６を固定する。具体的には、取付金具１２の第２の面１２２における取付ねじ固定穴１２１から洗浄ユニット固定ねじ１９を挿入し、第２の固定部１５と取付金具１２を固定する。このとき、露出面１７は、取付金具１２及び洗浄ユニット固定ねじ１９が露出するように構成されている。洗浄ユニット６は、洗浄ノズル１１及び洗浄液吐出口１６が浴室１に露出している。
【００５５】
図１０は、天井２に固定された洗浄ユニット６を浴室１側から見た斜視図である。
【００５６】
図１０に示すように、洗浄ユニット６は、露出面１７を覆うノズルカバー２０を備える。ノズルカバー２０は、露出面１７の形状に対応しており、浴室１から取り付けられる。ノズルカバー２０は、洗浄ノズル１１の側面を覆い、洗浄液吐出口１６を浴室１に露出させるように構成されている。このとき、洗浄ユニット６は、取付金具１２と洗浄ユニット固定ねじ１９とを含む第２の固定部１５が浴室１に一部露出している。ノズルカバー２０は、洗浄ノズル１１の側面を覆い、洗浄液吐出口１６を浴室１に露出させることで、洗浄ユニット６のデザイン性を向上させる。
【００５７】
図１１は、天井２に設置された洗浄ユニット６を浴室１側から見た斜視図である。
【００５８】
図１１に示すように、洗浄ユニット６は、ノズルカバー２０に加えて、ねじカバー２１がさらに備えられている。ねじカバー２１は、浴室１に露出していた第２の固定部１５周辺を覆うように取り付けられる。ねじカバー２１は、洗浄ユニット６にノズルカバー２０が装着された後に取り付けられる。ねじカバー２１は、第２の固定部１５周辺を十分に覆うような形状であることが望ましい。
【００５９】
このように、浴室１側からの取付作業は、洗浄ユニット固定ねじ１９を用いて洗浄ユニット６を固定し、ノズルカバー２０を取り付け、ねじカバー２１を取り付けることで完了する。
【００６０】
図１２は、洗浄ユニット６の固定方法を示すフローチャートである。
【００６１】
まず、ステップＳ３０１からスタートし、ステップＳ３０２において、取付金具固定ねじ１３を取付ねじ固定穴１２１に挿入することで、取付金具１２は、天井２に対して点検口５０から固定される（取付金具固定ステップに相当）。このとき、取付金具１２は、第１の開口部９に対して固定される。次に、ステップＳ３０３において、洗浄ユニット６は、筐体８が第１の開口部９に点検口５０から載置される（筐体載置ステップに相当）。そして、ステップＳ３０４において、洗浄ユニット６は、第１の固定部１４を天井２に対して点検口５０から固定することにより、隣接面２４側の筐体８が天井２に対して固定される（天井裏側固定ステップに相当）。次に、ステップＳ３０５において、洗浄ユニット６は、取付金具１２に対して第２の固定部１５を浴室１側から固定することにより、隣接面２４側の反対側の筐体８が天井２に対して固定される（浴室側固定ステップに相当）。ステップＳ３０３からステップＳ３０５において洗浄ユニット６を第１の開口部９に固定した後、ステップＳ３０６において露出面１７を覆うノズルカバー２０が取り付けられる。そしてステップＳ３０７において、取付金具１２と洗浄ユニット固定ねじ１９とを含む第２の固定部１５周辺を覆うねじカバー２１がさらに取り付けられる（カバー取付ステップに相当）。以上の工程により、洗浄ユニット６を天井２に固定する方法が終了する（ステップＳ３０８）。
【００６２】
なお、先にねじカバー２１を取り付け、その後ノズルカバー２０を取り付ける構成であってもよい。
【００６３】
本開示の一態様の概要は、次の通りである。洗浄ユニット６は、浴室１の天井２に形成された第１の開口部９に取り付けられ、筐体８と洗浄液吐出口１６とを備える洗浄ユニット６であって、筐体８は、天井２の天井裏に配置される第１の領域４１と第１の開口部９に嵌合される第２の領域４２とを含み、第１の領域４１において、筐体８を天井２に対して固定するための第１の固定部１４を備え、第２の領域４２において、浴室１に露出する露出面１７を有し、露出面１７に、筐体８を天井２に対して固定するための第２の固定部１５を備える。
【００６４】
この構成によって、洗浄ユニット６は、作業者にとって手前側（点検口５０側）は天井裏から第１の開口部９に固定され、作業者にとって奥側（第２の開口部１０側）は浴室側から第１の開口部９に固定される。したがって、作業者は、点検口５０から視覚的に見えにくい部分でも洗浄ユニット６を容易に天井へ固定することができる。
【００６５】
また、洗浄ユニット６は、第２の固定部１５が天井２に固定された取付金具１２に対して固定される。
【００６６】
この構成によって、取付金具１２は、洗浄ユニット固定ねじ１９によって、第２の固定部１５に対して固定される。したがって、洗浄ユニット６は、視覚的に見えにくい部分でも確実に固定することができる。
【００６７】
そして、洗浄ユニット６は、第１の領域４１が、天井２の面方向において、第２の領域４２より大きくなるように構成される。
【００６８】
この構成によって、洗浄ユニット６は、筐体８のうち、第１の領域４１が天井２の面方向において第２の領域４２より大きく構成されている。したがって、洗浄ユニット６は、第１の開口部９に取り付けられる際に、第１の開口部９を第１の領域４１及び第２の領域４２に合わせて開口する必要がなく、第２の領域４２が第１の開口部９に嵌合されるように構成されることで、筐体８が第１の開口部９に対して容易に固定することができる。
【００６９】
さらに、洗浄ユニット６は、露出面１７において、第２の固定部１５を覆うねじカバー２１をさらに備える。
【００７０】
この構成によって、洗浄ユニット６は、浴室１に露出する第２の固定部１５周辺をカバーで覆うことができるので、浴室１で発生する湿気が天井裏に侵入することを抑制できる。
【００７１】
以上、本発明について、実施例をもとに説明した。この実施例は例示であり、それらの各構成要素にいろいろな変形例が可能なこと、また、そうした変形例も本発明の範囲にあることは当業者に理解されるところである。
例えば、浴室暖房乾燥機が壁に設置され、第２の開口が無い場合なども同様である。
【産業上の利用可能性】
【００７２】
本発明に係る洗浄ユニットおよび固定方法は、浴室の天井裏に設置される洗浄ユニット等を容易に施工可能とするものであるので、天井裏に設置される洗浄装置もしくは換気装置等およびその固定方法として有用である。
【符号の説明】
【００７３】
１    浴室
２    天井
３    浴室暖房乾燥機
６    洗浄ユニット
７    給水口
８    筐体
９    第１の開口部
１０    第２の開口部
１１    洗浄ノズル
１２    取付金具
１３    取付金具固定ねじ
１４    第１の固定部
１５    第２の固定部
１６    洗浄液吐出口
１７    露出面
１８    天井固定ねじ
１９    洗浄ユニット固定ねじ
２０    ノズルカバー
２１    ねじカバー
２２    脱衣室
２３    操作パネル
２４    隣接面
４１    第１の領域
４２    第２の領域
５０    点検口
５１    信号線
１２０    第１の面
１２１    取付ねじ固定穴
１２２    第２の面
１２３    第３の面
【図１】
2020156960.tif 000003
【図２】
2020156960.tif 000004
【図３】
2020156960.tif 000005
【図４】
2020156960.tif 000006
【図５】
2020156960.tif 000007
【図６】
2020156960.tif 000008
【図７】
2020156960.tif 000009
【図８】
2020156960.tif 000010
【図９】
2020156960.tif 000011
【図１０】
2020156960.tif 000012
【図１１】
2020156960.tif 000013
【図１２】
2020156960.tif 000014